(57)【要約】【課題】単語登録時に登録する単語のスペルをユーザに入力させることにより、学習効果を得る。【解決手段】情報処理装置１０は、単語を登録する際に、登録対象の単語を指定させるとともに、指定された単語のスペルをユーザに入力させ、入力されたスペルの正誤を判定し、正しいスペルであると判定された場合は単語登録を実行し、誤ったスペルであると判定された場合は警告を行う。【選択図】          図１
2004198791.tif 000002
【特許請求の範囲】
【請求項１】
単語又は複数の単語からなる語句を記憶する単語記憶手段と、
前記単語記憶手段に記憶させる単語を指定する単語指定手段と、
前記指定された単語のスペルを入力するスペル入力手段と、
前記入力された単語のスペルが、前記指定された単語の正しいスペルであるか否かを判定する判定手段と、
前記判定手段により、入力された単語のスペルが正しいスペルであると判定された場合、前記指定された単語を前記単語記憶手段に記憶させて単語登録を行う単語登録手段と、
を備えることを特徴とする情報処理装置。
【請求項２】
前記判定手段により、前記スペル入力手段により入力された単語のスペルが誤ったスペルであると判定された場合、入力された単語のスペルが誤っていることを警告する警告手段を備えることを特徴とする請求項１に記載の情報処理装置。
【請求項３】
前記判定手段によるスペルの正誤判定を行うか否かを設定する判定設定手段を備え、
前記判定設定手段により、前記判定手段によるスペルの正誤判定を行わないよう設定された場合、前記スペル入力手段によるスペル入力及び前記判定手段によるスペルの正誤判定を行わずに、前記単語登録手段は、前記単語指定手段により指定された単語を前記単語記憶手段に記憶させることを特徴とする請求項１又は２に記載の情報処理装置。
【請求項４】
前記判定設定手段は、設定内容を変更可能とし、
前記警告手段は、前記判定設定手段によりスペルの正誤判定を行う設定から行わない設定に変更された場合、設定変更に係る所定の警告を行うことを特徴とする請求項１〜３の何れか一項に記載の情報処理装置。
【請求項５】
単語又は複数の単語からなる語句を単語記憶手段に記憶する単語記憶工程と、
前記単語記憶手段に記憶させる単語を指定する単語指定工程と、
前記指定された単語のスペルを入力するスペル入力工程と、
前記入力された単語のスペルが、前記指定された単語の正しいスペルであるか否かを判定する判定工程と、
前記判定工程において、入力された単語のスペルが正しいスペルであると判定された場合、前記指定された単語を前記単語記憶手段に記憶させて単語登録を行う単語登録工程と、
を含むことを特徴とする単語登録方法。
【請求項６】
前記判定工程におけるスペルの正誤判定を行うか否かを設定する判定設定工程を含み、
前記判定設定工程において、前記判定手段によるスペルの正誤判定を行わないよう設定された場合、前記スペル入力工程におけるスペル入力及び前記判定工程におけるスペルの正誤判定を行わずに、前記単語登録工程において、前記単語指定工程で指定された単語を前記単語記憶手段に記憶させることを特徴とする請求項５に記載の単語登録方法。
【請求項７】
コンピュータに、
単語又は複数の単語からなる語句を単語記憶手段に記憶させる単語記憶機能と、
前記単語記憶手段に記憶させる単語を指定させる単語指定機能と、
前記指定された単語のスペルを入力させるスペル入力機能と、
前記入力された単語のスペルが、前記指定された単語の正しいスペルであるか否かを判定させる判定機能と、
前記判定機能により、入力された単語のスペルが正しいスペルであると判定された場合、前記指定された単語を前記単語記憶手段に記憶させて単語登録を行わせる単語登録機能と、
を実現させるためのプログラム。
【請求項８】
前記判定機能によりスペルの正誤判定を行うか否かを設定する判定設定機能を含み、
前記判定設定機能により、前記判定手段によるスペルの正誤判定を行わないよう設定された場合、前記スペル入力機能によるスペル入力及び前記判定機能によるスペルの正誤判定を行わずに、前記単語登録機能は、前記単語指定機能により指定された単語を前記単語記憶手段に記憶させることを特徴とする請求項７に記載のプログラム。
【発明の詳細な説明】
【０００１】
【発明の属する技術分野】
本発明は、ユーザにより指定された単語を登録する情報処理装置、単語登録方法及びプログラムに関する。
【０００２】
【従来の技術】
従来から、よく使用する単語や辞書にない単語、専門用語等を辞書登録し、ユーザに応じて辞書をカスタマイズすることが行われている。例えば辞書登録する際に、表示画面上に表示された文書中の登録したい単語にアンダーラインを引く、或いはカーソルで単語の文字列を指定すると、その単語が自動的に辞書登録される技術が開発されている（例えば、特許文献１参照）。
【０００３】
また、表示画面上に表示された単語を選択すると、選択された単語が辞書検索されてその訳語が表示される技術も開発されている（例えば、特許文献２参照）。
【０００４】
【特許文献１】
特開平７−２８７９９号公報
【特許文献２】
特開平６−６８１４０号公報
【０００５】
【発明が解決しようとする課題】
しかしながら、上述したような辞書登録方法では、単語を指定するだけで自動的に単語登録を行うことができるので、ユーザは単語登録にあたってスペル等を特に意識せずに登録できてしまい、ユーザにとって単語の暗記練習とならず、学習効果が得られない。
【０００６】
本発明の課題は、単語登録時に登録する単語のスペルをユーザに入力させることにより、高い学習効果を得られる情報処理装置を提供することである。
【０００７】
【課題を解決するための手段】
請求項１に記載の発明は、情報処理装置において、
単語又は複数の単語からなる語句を記憶する単語記憶手段と、
前記単語記憶手段に記憶させる単語を指定する単語指定手段と、
前記指定された単語のスペルを入力するスペル入力手段と、
前記入力された単語のスペルが、前記指定された単語の正しいスペルであるか否かを判定する判定手段と、
前記判定手段により、入力された単語のスペルが正しいスペルであると判定された場合、前記指定された単語を前記単語記憶手段に記憶させて単語登録を行う単語登録手段と、
を備えることを特徴としている。
【０００８】
この請求項１に記載の発明によれば、単語登録時に、ユーザに登録対象の単語を指定させるとともにその単語のスペルを入力させ、入力されたスペルの正誤を判定して正しいスペルである場合に単語登録を行うので、ユーザは単語登録の際にスペル入力を行うことにより単語の暗記練習を行うことができ、高い学習効果を得ることができる。
【０００９】
請求項５に記載の発明は、単語登録方法において、
単語又は複数の単語からなる語句を単語記憶手段に記憶する単語記憶工程と、
前記単語記憶手段に記憶させる単語を指定する単語指定工程と、
前記指定された単語のスペルを入力するスペル入力工程と、
前記入力された単語のスペルが、前記指定された単語の正しいスペルであるか否かを判定する判定工程と、
前記判定工程において、入力された単語のスペルが正しいスペルであると判定された場合、前記指定された単語を前記単語記憶手段に記憶させて単語登録を行う単語登録工程と、
を含むことを特徴としている。
【００１０】
この請求項５に記載の発明によれば、単語登録時に、ユーザに登録対象の単語を指定させるとともにその単語のスペルを入力させ、入力されたスペルの正誤を判定して正しいスペルである場合に単語登録を行うので、ユーザは単語登録の際にスペル入力を行うことにより単語の暗記練習を行うことができ、高い学習効果を得ることができる。
【００１１】
請求項７に記載の発明は、
コンピュータに、
単語又は複数の単語からなる語句を単語記憶手段に記憶させる単語記憶機能と、
前記単語記憶手段に記憶させる単語を指定させる単語指定機能と、
前記指定された単語のスペルを入力させるスペル入力機能と、
前記入力された単語のスペルが、前記指定された単語の正しいスペルであるか否かを判定させる判定機能と、
前記判定機能により、入力された単語のスペルが正しいスペルであると判定された場合、前記指定された単語を前記単語記憶手段に記憶させて単語登録を行う単語登録機能と、
を実現させるためのプログラムであることを特徴としている。
【００１２】
この請求項７に記載の発明によれば、単語登録時に、ユーザに登録対象の単語を指定させるとともにその単語のスペルを入力させ、入力されたスペルの正誤を判定して正しいスペルである場合に単語登録を行うので、ユーザは単語登録の際にスペル入力を行うことにより単語の暗記練習を行うことができ、高い学習効果を得ることができる。
【００１３】
【発明の実施の形態】
以下、図を参照して本発明の実施の形態を詳細に説明する。
本実施の形態では、単語を登録する際に、登録対象の単語を指定させるとともに、指定された単語のスペルをユーザに入力させ、この入力されたスペルの正誤を判定し、正しいスペルであると判定された場合は単語登録を実行し、誤ったスペルであると判定された場合は警告する例を説明する。
【００１４】
まず、構成を説明する。
図１に、本実施の形態における情報処理装置１０の機能的構成を示す。情報処理装置１０は、例えば携帯電話、ＰＨＳ（Personal Handyphone System）、ＰＤＡ（Personal Digital Assistant）等のような携帯型の情報処理装置や、パーソナルコンピュータ（Personal Computer；以下「ＰＣ」という。）、ノート型ＰＣ等のような情報処理装置によって実現することができる。
【００１５】
図１に示すように、情報処理装置１０は、ＣＰＵ（Central Processing Unit）１１、入力部１２、表示部１３、ＲＡＭ（Random Access Memory）１４、記憶部１５から構成され、各部はバス１７により接続される。
【００１６】
ＣＰＵ１１は、記憶部１５に格納されるシステムプログラムの他、本発明に係る単語登録処理プログラム（図３参照）、スペル入力設定変更処理プログラム（図５参照）、登録判定処理プログラム（図６参照）を必要に応じてＲＡＭ１４に展開する等し、当該プログラムとの協働により処理動作を統括的に制御する。具体的には、ユーザにより入力された登録対象の単語のスペルの正誤判定を行い、正しいスペルであると判定された場合は入力された単語を単語登録ファイル１５１に格納して単語登録を行う。なお、スペルの正誤判定を実行するか否かは設定可能とする。
【００１７】
入力部１２は、単語指定手段およびスペル入力手段として機能するものであり、表示部１３と一体的に構成されたタッチパネルを備えるとともに、登録対象の単語の文字列を指定するための又は登録対象の単語のスペルを入力するための文字キー、数字キーの他、各種機能キーを備えて構成される。入力部１２は、操作されたキーやタッチパネルの押下位置等に対応する操作信号をＣＰＵ１１に出力する。なお、必要に応じて、タッチパネル等に替えて若しくはこれに加えて、マウス等の他の入力装置を備えることとしてもよい。
【００１８】
また、本実施の形態では、スペル入力手段として、登録対象の単語のスペルをキー入力する例を説明するが、マイクを備えてスペルを音声で入力することとしてもよいし、手書き文字の認識機能を備えて手書きでスペルを入力することとしてもよく、スペルをユーザ自身が入力できるものであれば、その入力方法は特に限定しない。
【００１９】
表示部１３は、表示手段として機能するとともに、必要に応じて警告手段の一つとしても機能し、ＬＣＤ（Liquid Crystal Display）からなる表示ディスプレイを備えて、ユーザにより入力された単語のスペルの誤りを指摘する警告メッセージやスペル入力の設定変更に係る警告メッセージを表示する。また、単語登録処理において、テキスト画面１３１（図４（ａ）参照）、文字種エラー画面１３２（図４（ｂ）参照）、単語登録画面１３３（図４（ｃ）参照）、変更確認画面１３４（図４（ｄ）参照）、スペル入力エラー画面１３５（図４（ｅ）参照）等の各種表示画面を表示する。
【００２０】
なお、他の警告手段として、スピーカ等を備え、警告音や警告メッセージを音声出力することとしてもよい。
【００２１】
ＲＡＭ１４は、必要に応じて、ＣＰＵ１１によって実行される各種プログラムやこれらプログラムに係るデータを一時的に記憶するワークエリアを形成する。
【００２２】
記憶部１５は、プログラムやデータが予め記憶されている記憶媒体（図示せず）を有しており、この記憶媒体に、システムプログラム、本発明に係る単語登録処理プログラム、スペル入力設定変更処理プログラム、登録判定処理プログラム及びこれらプログラムで処理されたデータ等を記憶する。この記憶媒体は、磁気的、光学的記憶媒体、若しくは半導体メモリで構成されており、記憶部１５に固定的に設けられるもの、若しくは着脱自在に装着するものである。
【００２３】
なお、記憶部１５が記憶するプログラム又はデータ等は、その一部又は全部を他の機器からＷＡＮ（Wide Area Network ）やＬＡＮ（Local Area Network）等の通信ネットワークを介して受信して記憶する構成にしてもよい。また、記録媒体は、通信ネットワーク上に構築された他のホストコンピュータの記録媒体であってもよい。また、記憶部１５は、通信ネットワーク上に構築されたサーバやクライアントの記録媒体であってもよい。
【００２４】
記憶部１５はまた、単語記憶手段として機能するものであり、内部に単語登録ファイル１５１が格納される。
図２に示すように、単語登録ファイル１５１には、登録された単語（例えば、“retribution”）、その単語の説明（例えば、“retribution”の和訳である“報い、懲罰・・・”）の各情報が格納される。なお、登録は単語に限らず、例えば“depends on”等のように複数の単語からなる語句であってもよい。また、本実施の形態では、英単語を登録する例を説明するが、これに限定されず、各種外国語の単語又は語句であってもよいし、コンピュータ用語等の専門用語やユーザがよく使用する単語や語句であってもよい。
【００２５】
次に、本実施の形態における動作を説明する。
説明の前提として、以下のフローチャートに記述されている各機能を実現するためのプログラムは、コンピュータが読み取り可能なプログラムコードの形態で記憶部１５に格納されており、ＣＰＵ１１は、当該プログラムコードに従った動作を逐次実行する。また、ＣＰＵ１１は、伝送媒体を介して伝送される上記プログラムコードに従った動作を逐次実行することも可能である。すなわち、記憶部１５の他、伝送媒体を介して外部供給されたプログラム又はデータを利用して本実施の形態特有の動作を実行することも可能である。
【００２６】
情報処理装置１０により実行される単語登録処理について、図３に示すフローチャート及び図４（ａ）に示す画面遷移図を参照して説明する。本実施形態における単語登録処理は、単語を登録する際に、登録対象の単語を指定させるとともに、指定された単語のスペルをユーザに入力させ、この入力されたスペルの正誤を判定し、正しいスペルであると判定された場合は単語登録を実行し、誤ったスペルであると判定された場合は警告を行う処理である。
【００２７】
まず、図３に示すステップＳ１において、ユーザからの表示指示に応じて表示部１３にテキスト画面１３１（図４（ａ）参照）が表示される。図４（ａ）に示すように、テキスト画面１３１では、単語“retribution”の辞書検索結果が表示されており、その画面下部には、単語登録ボタン１２ａが表示される。ユーザは、単語登録したい単語が有る場合、入力部１２を操作して、例えばカーソルをドラッグする等して登録対象の単語の文字列範囲を指定し、単語登録ボタン１２ａを押下する。なお、文字列範囲の指定方法は特に限定しない。
【００２８】
次いで、ステップＳ２において、単語登録ボタン１２ａが押下されたか否かが判別される。単語登録ボタン１２ａが押下されていない場合（ステップＳ２；Ｎ）、ステップＳ１の処理に戻る。単語登録ボタン１２ａが押下された場合（ステップＳ２；Ｙ）、ステップＳ３に移行する。
【００２９】
ステップＳ３では、テキスト画面１３１において、範囲指定されている文字列が有るか否かが判別される。範囲指定されている文字列が無い場合（ステップＳ３；Ｎ）、ステップＳ１に戻り、範囲指定されている文字列が有る場合（ステップＳ３；Ｙ）、ステップＳ４に移行する。
【００３０】
ステップＳ４では、範囲指定された文字列は、単語登録可能な文字種であるか否かが判別される。文字列が単語登録可能な文字種ではない場合（ステップＳ４；Ｎ）、ステップＳ５に移行し、文字列が単語登録可能な文字種である場合（ステップＳ４；Ｙ）、ステップＳ７に移行する。
【００３１】
ステップＳ５では、範囲指定された文字列の中に、単語登録できない文字種が含まれていることを報知する文字種エラー画面１３２（図４（ｂ）参照）が表示される。図４（ｂ）に示すように、文字種エラー画面１３２では、単語登録できない文字を含んでいることを示す「単語登録できない文字を含んでいます」のエラーメッセージや、単語登録できる文字種を報知する「半角の英文字、数字、記号のみが登録できます。」のメッセージ等が表示される。ユーザは、エラーメッセージを確認し、了承した場合、入力部１２を介してＯＫボタンを押下する。
【００３２】
次いで、ステップＳ６において、文字種エラー画面１３２でＯＫボタンが押下されたか否かが判別される。ＯＫボタンが押下されていない場合（ステップＳ６；Ｎ）、文字種エラー画面１３２の表示が継続されつつＯＫボタンの押下が待機される。一方、ＯＫボタンが押下された場合（ステップＳ６；Ｙ）、ステップＳ１に戻り、テキスト画面１３１が表示部１３に表示される。
【００３３】
ステップＳ７では、範囲指定された文字列の単語に対応する和訳の有無が判別される。例えば、図４（ａ）に示したように、テキスト画面１３１が辞書検索結果であり、指定された単語が既に辞書検索を行った検索語であるような場合は、和訳が有ると判別される。一方、表示されたテキスト画面が、ユーザが入力中の文章画面であり、その文章中から単語が指定されている場合などは、和訳が無いと判別される。また、例えば、記憶部１５に格納された辞書データベース（図示せず）の辞書データを検索して、和訳データの有無を判別するように構成しても良い。そして、対応する和訳が有る場合（ステップＳ７；Ｙ）は、ステップＳ８に移行し、対応する和訳が無い場合（ステップＳ７；Ｎ）には、ステップＳ９に移行する。
【００３４】
ステップＳ８では、表示部１３に単語登録画面１３３（図４（ｃ）参照）が表示される。図４（ｃ）に示すように、単語登録画面１３３では、登録対象の単語を入力する英単語入力枠Ｒ１、登録対象の単語のスペルを入力するスペル入力枠Ｒ２、登録対象の単語の和訳を入力する和訳入力枠Ｒ３、単語登録時に単語のスペルを入力するスペル入力のＯＮ／ＯＦＦを設定するためのチェックボックスＲ４、単語登録を指示する登録指示ボタン１２ｂが表示される。チェックボックスＲ４では、チェックボックスＲ４が押下される毎にスペル入力のＯＮ／ＯＦＦが切り換えられ、ＯＮに設定された場合はチェックマークが表示され、ＯＦＦに設定された場合はチェックマークが非表示にされる。
【００３５】
そして、ステップＳ８では、この単語登録画面１３３において、▲１▼テキスト画面１３１で範囲指定された文字列が、英単語入力枠Ｒ１に自動入力されて表示され、▲２▼和訳入力枠Ｒ２にその単語（文字列）の和訳が自動入力されて表示される。そして、ステップＳ１０に移行する。
【００３６】
ステップＳ９では、ステップＳ８と同様に表示部１３に単語登録画面１３３が表示されるが、ステップＳ９で表示される単語登録画面１３３では、▲１▼テキスト画面１３１で範囲指定された文字列が、英単語入力枠Ｒ１に自動入力されて表示され、▲２▼和訳入力枠Ｒ２への和訳の自動入力がなされず、無入力状態で表示される。ユーザは、この和訳入力枠にＲ２に、単語に対応する単語説明を入力することが可能である。そして、ステップＳ１０に移行する。
【００３７】
ステップＳ１０では、単語登録画面１３３において、チェックボックスＲ４が押下されたか否かが判別される。チェックボックスＲ４が押下されていない場合（ステップＳ１０；Ｎ）、ステップＳ１２に移行し、チェックボックスＲ４が押下された場合（ステップＳ１０；Ｙ）、ステップＳ１１のスペル入力設定変更処理に移行する。
【００３８】
図５を参照して、スペル入力設定変更処理を説明する。
図５に示すステップＳ１１１において、現在のスペル入力設定は、ＯＮに設定されているか否かが判別される。スペル入力がＯＮに設定されていない、つまりＯＦＦに設定されている場合（ステップＳ１１１；Ｎ）、ステップＳ１１２に移行し、スペル入力がＯＮに設定されている場合（ステップＳ１１１；Ｙ）、ステップＳ１１３に移行する。
【００３９】
ステップＳ１１１で、現在スペル入力設定がＯＦＦに設定されていると判断された場合は、ステップＳ１１２でスペル入力がＯＮに設定され、ステップＳ１１６に移行する。これにより、以後、ユーザに対して、単語登録時に登録する単語のスペルの入力が要求されるようになる。
【００４０】
一方、ステップＳ１１１で、現在スペル入力設定がＯＮに設定されていると判断された場合は、ステップＳ１１３で設定の変更を確認するための変更確認画面１３４（図４（ｄ）参照）が表示部１３に表示される。図４（ｄ）に示すように、変更確認画面１３４では、スペル入力の設定をＯＮからＯＦＦにする変更することを報知する「単語登録時に、スペルを入力するのチェックをはずします」のメッセージとともに、スペル入力をＯＦＦに変更することに対する警告として、「スペル入力は面倒ですが手間を惜しまないことで、早く確実に覚えることができます」のようなメッセージが表示される。
【００４１】
このような警告メッセージは、必ず表示しなければならないわけではないし、またスペル入力をＯＦＦからＯＮに変更する際に表示するようにしても何ら差し支えないものだが、本実施形態のようにスペル入力をＯＮからＯＦＦに変更するときにのみ警告のメッセージを表示することにより、本発明の効果の一つである「高い学習効果を得られる」旨を、ユーザに一層アピールすることができる。
ユーザは、変更確認画面１３４において、警告メッセージを確認すると、入力部１２を介してＯＫボタンを押下する。
【００４２】
次いで、ステップＳ１１４において、変更確認画面１３４でＯＫボタンが押下されたか否かが判別される。ＯＫボタンが押下されていない場合（ステップＳ１１４；Ｎ）、変更確認画面１３４の表示を継続しつつＯＫボタンの押下を待つ。そしてＯＫボタンが押下された場合（ステップＳ１１４；Ｙ）は、ステップＳ１１５に移行する。
【００４３】
ステップＳ１１５では、スペル入力の設定がＯＮからＯＦＦに変更され、ステップＳ１１６に移行する。これにより、以後、ユーザに対して、単語登録時に登録する単語のスペルの入力要求を行わなくなる。
【００４４】
ステップＳ１１６では、単語登録画面１３３が更新されて表示部１３に表示される。更新後の単語登録画面１３３では、変更されたスペル入力の設定状態に応じて、チェックボックスＲ４のチェックマークが表示又は非表示とされる。ユーザは、スペル入力をＯＮに設定している場合、更新表示された単語登録画面１３３のスペル入力枠Ｒ２に、登録対象の単語のスペルを入力し、登録ボタン１２ｂを押下する。
ステップＳ１１６の処理が終了すると、図３のステップＳ１２に移行する。
【００４５】
図３のステップＳ１２では、スペル入力がＯＮに設定されているか否かが判別される。スペル入力がＯＮに設定されていない、つまりＯＦＦに設定されている場合（ステップＳ１２；Ｎ）、ステップＳ１４に移行し、スペル入力がＯＮに設定されている場合（ステップＳ１２；Ｙ）、ステップＳ１３に移行する。
【００４６】
ステップＳ１３では、単語登録画面１３３のスペル入力枠Ｒ２に入力されたスペルがＲＡＭ１４に一時記憶され、ステップＳ１４の処理に移行する。
【００４７】
ステップＳ１４では、単語登録画面１３３において、登録ボタン１２ｂが押下されたか否かが判別される。登録ボタン１２ｂが押下されていない場合（ステップＳ１４；Ｎ）、ステップＳ１０に戻り、登録ボタン１２ｂが押下された場合（ステップＳ１４；Ｙ）、ステップＳ１５の登録判定処理に移行する。
【００４８】
図６を参照して、登録判定処理について説明する。
図６のステップＳ１５１において、スペル入力がＯＮに設定されているか否かが判別される。スペル入力がＯＮに設定されていない場合（ステップＳ１５１；Ｎ）、ステップＳ１５３に移行し、スペル入力がＯＮに設定されている場合（ステップＳ１５１；Ｙ）、ステップＳ１５２に移行する。
【００４９】
ステップＳ１５２では、単語登録画面１３３のスペル入力枠Ｒ２に入力されたスペルは、英単語入力枠Ｒ１に入力された単語と同一のスペルであるか否か、つまり入力されたスペルが指定された単語の正しいスペルであるか否かが判別される。入力されたスペルが正しいスペルであると判別された場合（ステップＳ１５２；Ｙ）、ステップＳ１５３に移行する。一方、入力されたスペルが指定された単語のスペルと異なり、入力されたスペルが誤ったスペルであると判別された場合（ステップＳ１５２；Ｎ）、ステップＳ１５４に移行する。
【００５０】
ステップＳ１５３では、単語登録画面１３３の英単語入力枠Ｒ１に入力された単語及び和訳入力枠Ｒ２に入力された和訳が、単語登録ファイルに格納され、単語登録される。
【００５１】
ステップＳ１５４では、入力されたスペルが誤ったスペルであることを警告するスペル入力エラー画面１３５（図４（ｅ）参照）が表示部１３に表示される。図４（ｅ）に示すように、スペル入力エラー画面１３５では、入力されたスペルが誤っていることを示す「入力されたスペルが間違っています」等の警告メッセージとともに、ユーザに対するコメントとして「確実に入力しましょう」等のメッセージが表示される。ユーザは、スペル入力エラー画面１３５で表示された警告メッセージを確認すると、ＯＫボタンを押下する。
【００５２】
次いで、ステップＳ１５５において、スペル入力エラー画面１３５でＯＫボタンが押下されたか否かが判別される。ＯＫボタンが押下されていない場合（ステップＳ１５５；Ｎ）、スペル入力エラー画面１３５の表示を継続しつつＯＫボタンの押下を待つ。そしてＯＫボタンが押下された場合（ステップＳ１５５；Ｙ）は、図３のステップＳ１０の処理に移行して、ユーザに再度スペルの入力を要求する。
【００５３】
なお、上記実施形態の替わりに、ステップＳ１５４でエラー表示とともに正しいスペルを表示し、ＯＫボタンが押下された場合（ステップＳ１５５；Ｙ）に、それ以上のスペル入力を要求せずに登録処理（ステップＳ１５３）に処理を進めることとしても良い。
【００５４】
このようにして、登録指定された単語を単語登録ファイル１５１に登録し、登録判定処理を終了すると、単語登録処理を終了する。
【００５５】
以上のように、情報処理装置１０において、単語登録の際に登録対象の単語の文字列を指定させるとともに、登録対象の単語のスペルをユーザにより入力させる構成とし、ユーザが登録対象の単語を指定し、その単語のスペルを入力すると、入力されたスペルが、指定された単語のスペルの正しいスペルであるか否かが判定され、正しいスペルであると判定された場合は指定された単語が単語登録され、入力されたスペルが誤ったスペルである場合は誤っていることを警告する警告メッセージ等が表示されるので、ユーザは、単語登録の際にスペル入力を行うことで単語の暗記練習を行うことができ、高い学習効果が得られる。
【００５６】
また、単語登録時のスペル入力のＯＮ／ＯＦＦは、単語登録画面１３３のチェックボックスＲ４によりユーザが適宜設定可能な構成としたので、特に暗記練習の必要がない単語を登録する際にはスペル入力の設定をＯＦＦにしておく等の対応をとることができ、使い勝手が良い。
【００５７】
また、スペル入力の設定をＯＮからＯＦＦに変更する際には、スペル入力により暗記練習を行うよう注意を促す警告メッセージが表示されるので、ユーザの学習意欲をかきたてることができる。
【００５８】
【発明の効果】
請求項１に記載の発明によれば、単語登録時に、ユーザに登録対象の単語を指定させるとともにその単語のスペルを入力させ、入力されたスペルの正誤を判定して正しいスペルである場合に単語登録を行うので、ユーザは単語登録の際にスペル入力を行うことにより単語の暗記練習を行うことができ、高い学習効果を得ることができる。
【００５９】
請求項５に記載の発明によれば、単語登録時に、ユーザに登録対象の単語を指定させるとともにその単語のスペルを入力させ、入力されたスペルの正誤を判定して正しいスペルである場合に単語登録を行うので、ユーザは単語登録の際にスペル入力を行うことにより単語の暗記練習を行うことができ、高い学習効果を得ることができる。
【００６０】
請求項７に記載の発明によれば、単語登録時に、ユーザに登録対象の単語を指定させるとともにその単語のスペルを入力させ、入力されたスペルの正誤を判定して正しいスペルである場合に単語登録を行うので、ユーザは単語登録の際にスペル入力を行うことにより単語の暗記練習を行うことができ、高い学習効果を得ることができる。
【図面の簡単な説明】
【図１】本発明を適用した実施の形態の情報処理装置１０の機能的構成を示すブロック図である。
【図２】単語登録ファイル１５１のデータ構成例を示す図である。
【図３】情報処理装置１０により実行される単語登録処理を説明するフローチャートである。
【図４】単語登録処理中に表示部１３に表示される表示画面の遷移状態を示す図であり、（ａ）はテキスト画面１３１、（ｂ）は文字種エラー画面１３２、（ｃ）は単語登録画面１３３、（ｄ）は変更確認画面１３４、（ｅ）はスペル入力エラー画面１３５である。
【図５】スペル入力設定変更処理を説明するフローチャートである。
【図６】登録判定処理を説明するフローチャートである。
【符号の説明】
１０    情報処理装置
１１    ＣＰＵ
１２    入力部
１３    表示部
１４    ＲＡＭ
１５    記憶部
１５１    単語登録ファイル
【図１】
2004198791.tif 000003
【図２】
2004198791.tif 000004
【図３】
2004198791.tif 000005
【図４】
2004198791.tif 000006
【図５】
2004198791.tif 000007
【図６】
2004198791.tif 000008